(57)【要約】【課題】特定のＩＰアドレス等を有するコンピュータ装置に対して、その物理的な存在位置を視覚的または聴覚的に知らせる指令を送出することを可能にして、正当に割り当てられていないＩＰアドレスを使用するコンピュータ装置の物理的な存在位置を検知する。【解決手段】ＬＡＮ３の管理者は、入手したＭＡＣアドレス（不正割り当ての可能性が有るアドレス）を宛先とし、コンピュータ装置を用いて、ＬＡＮ３上に特定のＭＡＣフレームを送信する。該特定のＭＡＣフレームは、上記ＭＡＣアドレスを有するコンピュータ装置１（不正割り当てのコンピュータ装置）が受信し、コンピュータ装置１のＬＡＮコントローラ１１がＢＭＣ１２へ通知する。ＢＭＣ１２は、装置識別用ＬＥＤ１３を点灯するか、若しくはブザー１４を鳴動させて、コンピュータ１の設置位置を周囲に知らせる。【選択図】図２
2012147072.tif 000002
【特許請求の範囲】
【請求項１】
所定の規格に基づくネットワークにおいて、
特定の指令フレームを、前記所定の規格が定めるプロトコルに準拠した少なくとも１つのアドレスを宛て先として、前記ネットワークに送信するステップと、
前記指令フレームを、前記アドレスが割り当てられたコンピュータ装置において受信するステップと、
前記受信を契機として、前記コンピュータ装置が備える発光装置及び／または音声出力装置を作動させるステップと、
を有することを特徴とするコンピュータ装置の設置位置検知方法。
【請求項２】
前記発光装置は発光ダイオードで構成されており、前記音声出力装置はブザーで構成されていることを特徴とする請求項１記載のコンピュータ装置の設置位置検知方法。
【請求項３】
所定の規格に基づくネットワークにおいて、
特定の指令フレームを、前記所定の規格が定めるプロトコルに準拠した少なくとも１つのアドレスを宛て先として、前記ネットワークに送信するステップと、
前記指令フレームを、前記アドレスが割り当てられたコンピュータ装置において受信するステップと、
前記受信を契機として、前記コンピュータ装置に接続された外部の発光装置及び／または音声出力装置を作動させるステップと、
を有することを特徴とするコンピュータ装置の設置位置検知方法。
【請求項４】
前記発光装置は発光ダイオードで構成されており、前記音声出力装置はブザーで構成されていることを特徴とする請求項３記載のコンピュータ装置の設置位置検知方法。
【請求項５】
所定の規格に基づくローカルエリア・ネットワークであって、
特定の指令フレームを、前記所定の規格が定めるプロトコルに準拠した少なくとも１つのアドレスを宛て先として配信する手段と、
前記指令フレームを、前記アドレスが割り当てられたコンピュータ装置において受信する手段と、
前記受信を契機として、発光装置及び／または音声出力装置を作動させる手段と、
を備えたことを特徴とするローカルエリア・ネットワーク。
【請求項６】
前記光の出力装置は発光ダイオードで構成されており、前記音声出力装置はブザーで構成されていることを特徴とする請求項５記載のローカルエリア・ネットワーク。
【請求項７】
所定の規格に基づくネットワークに接続されるコンピュータ装置であって、
前記所定の規格が定めるプロトコルに準拠したアドレスでもって、自己宛に発信された特定の指令フレームを受信する手段と、
前記受信を契機として、自己が備える発光装置及び／または音声出力装置を作動させる手段と、
を備えたことを特徴とするコンピュータ装置。
【請求項８】
前記発光装置は発光ダイオードで構成されており、前記音声出力装置はブザーで構成されていることを特徴とする請求項７記載のコンピュータ装置。
【発明の詳細な説明】
【技術分野】
【０００１】
本発明はコンピュータ装置の設置位置検知方法及びローカルエリア・ネットワーク並びにコンピュータ装置に係り、特に、具体的な特定のＩＰアドレス等がローカルエリア・ネットワークに既に割り当てられているコンピュータ装置の物理的な設置位置を検知することができるコンピュータ装置の設置位置検知方法及びローカルエリア・ネットワーク並びにコンピュータ装置に関する。
【背景技術】
【０００２】
近年、複数のコンピュータ装置を接続するＬＡＮ（ローカルエリア・ネットワーク）が普及している。
ＬＡＮでは、一般に、新しいコンピュータ装置をネットワーク接続する場合（即ち、ＬＡＮ上にコンピュータ装置を新設する場合）、既設のコンピュータ装置に割り当てられているＩＰアドレス等は、この新設すべきコンピュータ装置に割り当てて使用することができない。よって、新しいコンピュータ装置をＬＡＮ上に新設する場合は、この点に注意しなければならない。
しかしながら、既設のコンピュータ装置にＩＰアドレス等が既に割り当てられている場合であっても、この割り当てられたＩＰアドレス等は、不正に入手されたＩＰアドレス等を用いて該既設のコンピュータ装置に不正に割り当てられたものであるかも知れない。
【０００３】
そこで、上記のいずれの場合であっても、ＬＡＮ上にコンピュータ装置を新設する場合は、この新設すべきコンピュータ装置に割り当てるＩＰアドレスについては、同じＩＰアドレス等を使用している他のコンピュータ装置が、該ＬＡＮ上に既に存在しているか否かを検証する必要性と共に、同じＩＰアドレスを使用しているコンピュータ装置が該ＬＡＮ上に既に存在する場合は、その設置位置（物理的な設置位置）を検知する必要性が生じていた。
【０００４】
この分野の公知技術としては、例えば、特許文献１に、情報収集端末装置にアドレスを設定せず、遊技場内部管理装置と情報収集端末とが通信できる遊技システムを提供することが開示されている。具体的には、複数の遊技装置と、複数の情報収集端末装置と、複数の情報収集端末装置によって収集された遊技情報を集計する遊技場内部管理装置とを備える遊技システムにおいて、遊技場内部管理装置は、情報収集端末装置の処理を指定する指令情報パケットのヘッダ部にブロードキャストアドレス及びボディ部に処理を実行させる台番号を含む指令情報パケットをブロードキャストで送信し、情報収集端末装置は、指令情報パケットを受信すると、台番号が一致する場合に、指令情報パケットで指定された処理を実行するものとしている。
【先行技術文献】
【特許文献】
【０００５】
【特許文献１】特開２００９−８２５５３号公報
【発明の概要】
【発明が解決しようとする課題】
【０００６】
ところで、上記背景技術で述べた従来のＬＡＮにあっては、前述のとおり、ＬＡＮ上にコンピュータ装置を新設する場合、この新設すべきコンピュータ装置に割り当てるＩＰアドレスについては、同じＩＰアドレス等を使用している他のコンピュータ装置が、該ＬＡＮ上に既に存在しているか否かを検証すると共に、同じＩＰアドレスを使用しているコンピュータ装置が該ＬＡＮ上に既に存在する場合は、該既設のコンピュータ装置の設置位置（物理的な設置位置）を検知する必要性があった。
【０００７】
しかし、従来は、このような検知手段が与えられていなかったために、新しいコンピュータ装置をＬＡＮ上に新設する場合、ＩＰアドレス等の二重割り当てが生じて、新設のコンピュータ装置が正常に動作できなくなる場合が生じるといった問題点を有していた。
また、新設すべきコンピュータ装置に割り当てるＩＰアドレス等が、不正に入手されて、既設のコンピュータ装置に既に不正に割り当てられている場合であっても、このような不正な割り当てで設置された既設のコンピュータ装置の存在や、その物理的な設置位置を検知する手段が与えられていないといった問題点が有った。
なお、例えば、特許文献１に記載の技術の場合、情報収集端末装置にアドレスを設定しないで、遊技場内部管理装置と情報収集端末とが通信できる遊技システムを提供することを目的としているのであり、本発明のように、不正接続されたコンピュータ装置の物理的な設置位置を検知するものではない。
【０００８】
これに対し、本発明では、例えば、ネットワーク管理者が個々のコンピュータ装置に対して固定ＩＰアドレスを割り当てて管理しているＬＡＮ環境において、正当に割り当てられていないＩＰアドレスを使用するコンピュータ装置が既にネットワーク上に接続されている場合に、この不正なコンピュータ装置の物理的な設置位置を、該不正なコンピュータ装置自体が、ＬＡＮの管理者用のコンピュータ装置からの該ＩＰアドレス宛に送出された動作指令を受けて、自己に対応して設置されたＬＥＤ（発光ダイオード）を点灯させることや、自己に対応に対応して設置されたブザーを鳴動させることにより、前記管理者に知らせることができるようにしている。
【０００９】
より具体的には、本発明は、具体的な特定のＩＰアドレス等を用いてＬＡＮに既に接続されているコンピュータ装置の物理的な設置位置を、該具体的な特定のＩＰアドレス等を指定することによって検知する手段を与え、特に、検知したいコンピュータ装置の物理的な設置位置を確認するための手段して、コンピュータ装置（管理者用のコンピュータ装置としても良い）を使用して、該検知したいコンピュータ装置のＭＡＣアドレスを取得する手段と、該ＭＡＣアドレスに対応したコンピュータ装置が備える、ＬＥＤを点灯させる手段、及び／またはブザーを鳴動させる手段と、を備えるものである。
【００１０】
本発明は、上記従来の問題点に鑑みてなされたものであって、特定のＩＰアドレス等を有するコンピュータ装置に対して、その物理的な存在位置を視覚的または聴覚的に知らせる指令を送出することを可能にして、正当に割り当てられていないＩＰアドレスを使用するコンピュータ装置の物理的な存在位置を検知することができるコンピュータ装置の設置位置検知方法及びローカルエリア・ネットワーク並びにコンピュータ装置を提供することを目的としている。
【課題を解決するための手段】
【００１１】
上記課題を解決するために、本発明に係るコンピュータ装置の設置位置検知方法は、所定の規格に基づくネットワークにおいて、特定の指令フレームを、前記所定の規格が定めるプロトコルに準拠した少なくとも１つのアドレスを宛て先として、前記ネットワークに送信するステップと、前記指令フレームを、前記アドレスが割り当てられたコンピュータ装置において受信するステップと、前記受信を契機として、前記コンピュータ装置が備える発光装置及び／または音声出力装置を作動させるステップと、を有することを特徴とする。
【００１２】
また、本発明に係るコンピュータ装置の設置位置検知方法は、所定の規格に基づくネットワークにおいて、特定の指令フレームを、前記所定の規格が定めるプロトコルに準拠した少なくとも１つのアドレスを宛て先として、前記ネットワークに送信するステップと、前記指令フレームを、前記アドレスが割り当てられたコンピュータ装置において受信するステップと、前記受信を契機として、前記コンピュータ装置に接続された外部の発光装置及び／または音声出力装置を作動させるステップと、を有することを特徴とする。
【００１３】
また、本発明に係るローカルエリア・ネットワークは、所定の規格に基づくローカルエリア・ネットワークであって、特定の指令フレームを、前記所定の規格が定めるプロトコルに準拠した少なくとも１つのアドレスを宛て先として配信する手段と、前記指令フレームを、前記アドレスが割り当てられたコンピュータ装置において受信する手段と、前記受信を契機として、発光装置及び／または音声出力装置を作動させる手段と、を有することを特徴とする。
【００１４】
さらに、本発明に係るコンピュータ装置は、所定の規格に基づくネットワークに接続されるコンピュータ装置であって、前記所定の規格が定めるプロトコルに準拠したアドレスでもって、自己宛に発信された特定の指令フレームを受信する手段と、前記受信を契機として、自己が備える発光装置及び／または音声出力装置を作動させる手段と、を備えたことを特徴とする。
【発明の効果】
【００１５】
以上説明したように、本発明のコンピュータ装置の設置位置検知方法によれば、例えば、ネットワーク管理者が個々のコンピュータ装置に対して固定ＩＰアドレスを割り当てて管理しているＬＡＮ環境において、正当に割り当てられていない不正なＩＰアドレスを使用したコンピュータ装置が既にネットワークに接続されていることが疑われる場合には、特定の指令フレームを、該ＩＰアドレスでもってＬＡＮ上に送信することにより、このＩＰアドレスを有するコンピュータ装置が備える波高装置及び／または音声出力装置を作動させることができるので、この不正接続されたコンピュータ装置の有無を確認できる効果が有り、さらに、不正接続されたコンピュータ装置が存在する場合には、その物理的な位置を検知することができる効果が有る。
【図面の簡単な説明】
【００１６】
【図１】本発明の実施形態に係るコンピュータ装置の設置位置検知方法が適用されるＬＡＮのシステム構成例を示す構成図である。
【図２】本発明の実施形態に係るコンピュータ装置１の具体的な構成を示す構成図である。
【発明を実施するための形態】
【００１７】
本発明に係るコンピュータ装置の設置位置検知方法は、具体的な特定のＩＰアドレス等を用いてＬＡＮに既に接続されているコンピュータ装置の物理的な設置位置を、該具体的な特定のＩＰアドレス等を指定することによって検知することを可能にしている。
以下、本発明に係るコンピュータ装置の設置位置検知方法及びローカルエリア・ネットワーク並びにコンピュータ装置の実施形態について、図面を参照して詳細に説明する。
【００１８】
図１は、本発明の実施形態に係るコンピュータ装置の設置位置検知方法が適用されるＬＡＮのシステム構成例を示す構成図である。
同図において、本実施形態のコンピュータ装置の設置位置検知方法が適用されるＬＡＮは、物理的な設置位置が不明なコンピュータ装置１（本実施形態のコンピュータ装置）と、管理者が使用できるコンピュータ装置２と、コンピュータ装置１とコンピュータ装置２とを接続するＬＡＮ３（本実施形態のローカルエリア・ネットワーク）と、を備える。
コンピュータ装置１は、より具体的には、ゲーム機器を含む遊技機であっても良いし、一般的な情報処理端末装置であっても良い。
管理者が使用できるコンピュータ装置２は、後述するコンピュータ装置１の構成と同じ構成であっても良い。
なお、図１において、符号４は、ＭＡＣフレーム（指令フレーム）を示している。
【００１９】
本実施形態では、説明を簡単にするために、管理者が使用できるコンピュータ装置２以外のコンピュータ装置を、物理的な設置位置が不明なコンピュータ装置１だけとしたが、本発明では、一般に、管理者が使用できるコンピュータ装置２以外のコンピュータ装置として、物理的な設置位置が不明なコンピュータ装置及び物理的な設置位置が既知のコンピュータ装置を、それぞれ複数台設置することができる。
また、本実施形態では、前記各コンピュータ装置を接続するネットワークを、ＬＡＮ３としたが、本発明では、前記各コンピュータ装置を接続するネットワークは、一般に、何らかのプロトコルが定められ、該プロトコルに基づくアドレスに基づいて前記各コンピュータ装置間の通信を中継できるものでありさえすれば良く、この限りにおいて、他の任意の規格に準拠したネットワークとすることも可能である。
【００２０】
図２は、本発明の実施形態に係るコンピュータ装置１の具体的な構成を示す構成図である。
同図において、本発明の実施形態に係るコンピュータ装置１は、ＬＡＮコントローラ１１と、ＢＭＣ(Baseboard Management Controller)１２と、装置識別用ＬＥＤ１３（発光ダイオード）と、ブザー１４と、を備える。
なお、図２において、符号１３１は、装置識別用ＬＥＤ１３の点灯状態を示し、符号１４１は、ブザー１４の鳴動状態を示す。
以下、図１，２を参照しながら、本発明の実施形態に係るコンピュータ装置の設置位置検知方法について説明する。
【００２１】
本実施形態では、ＬＡＮ３に接続する監視対象装置の全て（ここではコンピュータ装置１だけ）に、ＬＡＮコントローラ、ＢＭＣ(Baseboard Management Controller)、及び装置識別用のＬＥＤ及び／またはブザーを設けるものとする。
このＬＡＮ３の管理者は、例えば、ＡＲＰテーブルやネットワークキャプチャを参照することにより、物理的な位置を検知したいコンピュータ装置１のＭＡＣアドレス（但し、不正割り当ての可能性が有るアドレス）を入手し、この入手したＭＡＣアドレスを宛先とし、コンピュータ装置２を用いて、ＬＡＮ３上に特定のＭＡＣフレームを送信する。
該特定のＭＡＣフレームは、ＬＡＮ３上で上記ＭＡＣアドレスを不正に有するコンピュータ装置（ここではコンピュータ装置１）のＬＡＮコントローラ１１が受信する。
【００２２】
これにより、コンピュータ装置１のＬＡＮコントローラ１１は、該特定のＭＡＣフレームを受信したことを、ＢＭＣ１２に接続されている通知用インタフェース（図示は省略）を介して、ＢＭＣ１２へ通知する。
これにより、ＢＭＣ１２は、コンピュータ装置１が備える、装置識別用ＬＥＤ１３を点灯させて点灯状態１３１とすること、及び／または、コンピュータ装置１が備えるブザー１４を鳴動させて鳴動状態１４１とすることで、コンピュータ1の設置位置を周囲に知らせる。  
これにより、ＬＡＮ３の管理者は、装置識別用ＬＥＤ１３の点灯を視認すること、及び／または、ブザー１４の鳴動を聞くことにより、検知したいコンピュータ装置の物理的な設置位置（ここではコンピュータ装置１の設置位置）を知ることができる。
【００２３】
なお、上記の設置位置検知方法は、上記のとおり、コンピュータ装置１に組み込まれたＢＭＣ１２によって実現することができる。即ち、コンピュータ装置１の電源がスタンバイ状態であっても、コンピュータ装置１の物理的な設置位置の検知機能を動作させることができる。
この実施形態に係るコンピュータ装置の設置位置検知方法によれば、例えば、ＬＡＮ３の管理者が、正当に割り当てられていない不正なＩＰアドレスを使用したコンピュータ装置（ここではコンピュータ装置１）が既にＬＡＮ３に接続されている場合には、この不正接続されたコンピュータ装置（ここではコンピュータ装置１）の物理的な位置を検知することができる効果が有る。
【００２４】
（他の実施形態）
図２に示すコンピュータ装置１の構成では、装置識別用ＬＥＤ１３を点灯すること、及び／または、ブザー１４を鳴動させることで、コンピュータ装置１の物理的な設置位置をＬＡＮ３の管理者に知らせるものとした。しかし、本実施形態では、装置識別用ＬＥＤ１３をコンピュータ装置１の構成要素から省略し、代わりに、装置識別用ＬＥＤ１３を点灯させる信号の信号線を集中監視モニタ（図示は省略）のコンピュータ装置１対応の装置識別用ＬＥＤ（コンピュータ装置１の物理的な設置位置が明示されているものとする）に接続する構成とする。
この実施形態によれば、不正接続されたコンピュータ装置の物理的な設置位置を、該集中監視モニタにて、ＬＡＮ３の管理者に集中的に知らせることが可能となる。
【００２５】
また、ブザー（１４）をコンピュータ装置１の構成要素から省略し、代わりに、ブザー（１４）を鳴動させるための信号の信号線を前記集中監視モニタのコンピュータ装置１対応のブザー（コンピュータ装置１の物理的な設置位置が明示されているものとする）に接続する構成とすることも可能である。
この場合も、不正接続されたコンピュータ装置の物理的な設置位置を、該集中監視モニタにて、ＬＡＮ３の管理者に集中的に知らせることが可能となる。
さらに、上記の装置識別用ＬＥＤとブザーとを併設する構成とすることも可能である。
【００２６】
この実施形態に係るコンピュータ装置の設置位置検知方法によれば、ＬＡＮ３の管理者は、集中監視モニタを監視するだけで、ＬＡＮ３全体に渡る不正なコンピュータ装置の接続状況を一括して知ることができる効果が有る。
特に、上記の集中監視モニタを、管理者用のコンピュータ装置の近くに配置すれば、ＬＡＮ３全体を監視することが容易になり、具体的には、不正なコンピュータ装置の存在と、その物理的な設置位置を割り出すのに便利であるといった効果が有る。
【符号の説明】
【００２７】
１  物理的な設置位置が不明なコンピュータ装置
２  管理者が使用可能なコンピュータ装置
３  ＬＡＮ
４  ＭＡＣフレーム
１１  ＬＡＮコントローラ
１２  ＢＭＣ(Baseboard Management Controller)
１３  装置識別用ＬＥＤ
１４  ブザー
【図１】
2012147072.tif 000003
【図２】
2012147072.tif 000004